(57)【要約】【課題】輸送時における圧縮機に繋がる冷媒配管の振幅を小さくすることができ、配管折れを防止することができることを目的とする。【解決手段】圧縮機１の運転時には振動を外郭６に伝播させなくするための防振ゴム７を備え、輸送時には圧縮機１を外郭６内に固定する手段を設けるという構成にしたことにより、輸送時における圧縮機１の振幅を小さくすることができるので、輸送時における圧縮機１に繋がる冷媒配管５の振幅を小さくし、冷媒配管５の折れを防止することができる浴室換気空調装置を得られる。【選択図】図２
2012193914.tif 000002
【特許請求の範囲】
【請求項１】
冷媒を圧縮するための圧縮機と、通過する空気に放熱するための第一熱交換器と、前記冷媒を膨張するための膨張機構と、前記通過する空気から吸熱するための第二熱交換器とを設け、前記圧縮機、前記第一熱交換器、前記膨張機構、前記第二熱交換器という順に連結し前記冷媒を流通させるための冷媒配管を箱状の外郭内に配置し、前記圧縮機の運転時には振動を前記外郭に伝播させなくするための防振ゴムを備え、輸送時には前記圧縮機を前記外郭内に固定する手段を設けることを特徴とする換気空調装置。
【請求項２】
輸送時には、圧縮機の頭部と外郭の間に板状の緩衝材を介在させることを特徴とする請求項１に記載の換気空調装置。
【請求項３】
板状の緩衝材の端部に立上り部を設けることを特徴とする請求項２に記載の換気空調装置。
【請求項４】
輸送時には、圧縮機の周囲と外郭との間に風船状の緩衝材を介在させることを特徴とする請求項１に記載の換気空調装置。
【請求項５】
輸送が終わると、緩衝材を取り除くための開口を外郭に設けることを特徴とする請求項２〜４のいずれかに記載の換気空調装置。
【請求項６】
輸送時には、圧縮機の頭部と外郭を棒状の固定部材で連通させることを特徴とする請求項１に記載の換気空調装置。
【請求項７】
輸送時には、圧縮機の胴部と外郭を棒状の固定部材で連通させることを特徴とする請求項１または６に記載の換気空調装置。
【発明の詳細な説明】
【技術分野】
【０００１】
本発明は、ヒートポンプ等を利用して浴室などの居住空間の換気空調を行う換気空調装置に関するものである。
【背景技術】
【０００２】
従来、この種の浴室換気空調装置は、圧縮機、凝縮器および蒸発器などの熱交換器減圧器等を含む冷凍サイクル部分と空調した空気を浴室などの居住空間に送風する循環ファンおよび循環ファンモータ、熱交換した熱を屋外へ排気するための換気ファンおよび換気ファンモータなどの送風機部分を、本体内に内蔵しているものが知られている（例えば、特許文献１参照）。
【先行技術文献】
【特許文献】
【０００３】
【特許文献１】特開平５−２３１６７５号公報
【発明の概要】
【発明が解決しようとする課題】
【０００４】
このような従来の換気装置においては、圧縮機という運転すると非常に振動が大きい部品を使用しなければならなく、そのため圧縮機は防振ゴムを介して外郭に配置し圧縮機の振動が外郭に伝播しにくい構造としているが、一方輸送時には通常の運転時以上の加振力、振幅をもって圧縮機が振動するので、その振動が圧縮機に繋がる冷媒配管に伝わり冷媒配管の折れが発生する、という課題を有していた。
【０００５】
そこで本発明は、上記従来の課題を解決するものであり、輸送時における圧縮機の振幅を小さくすることができ、圧縮機に繋がる冷媒配管の振幅も小さくし、冷媒配管の折れを防止することができる浴室換気空調装置を提供することを目的とする。
【課題を解決するための手段】
【０００６】
そして、この目的を達成するために、本発明は、冷媒を圧縮するための圧縮機と、通過する空気に放熱するための第一熱交換器と、前記冷媒を膨張するための膨張機構と、前記通過する空気から吸熱するための第二熱交換器とを設け、前記圧縮機、前記第一熱交換器、前記膨張機構、前記第二熱交換器という順に連結し前記冷媒を流通させるための冷媒配管を箱状の外郭内に配置し、前記圧縮機の運転時には振動を前記外郭に伝播させなくするための防振ゴムを備え、輸送時には前記圧縮機を前記外郭内に固定する手段を設けること、としたものであり、これにより所期の目的を達成するものである。
【発明の効果】
【０００７】
本発明によれば、冷媒を圧縮するための圧縮機と、通過する空気に放熱するための第一熱交換器と、前記冷媒を膨張するための膨張機構と、前記通過する空気から吸熱するための第二熱交換器とを設け、前記圧縮機、前記第一熱交換器、前記膨張機構、前記第二熱交換器という順に連結し前記冷媒を流通させるための冷媒配管を箱状の外郭内に配置し、前記圧縮機の運転時には振動を前記外郭に伝播させなくするための防振ゴムを備え、輸送時には前記圧縮機を前記外郭内に固定する手段を設ける、という構成にしたことにより、輸送時における圧縮機の振幅を小さくするので、圧縮機に繋がる冷媒配管の振幅を小さくすることができ、冷媒配管の折れを防止することができる、という効果を得ることができる。
【図面の簡単な説明】
【０００８】
【図１】本発明の実施の形態１の浴室換気空調装置の内部構成を示す斜視図
【図２】同浴室換気空調装置の圧縮機固定手段を示す斜視図
【図３】本発明の実施の形態２の浴室換気空調装置の圧縮機固定手段を示す斜視図
【発明を実施するための形態】
【０００９】
本発明の請求項１記載の浴室換気空調装置は、冷媒を圧縮するための圧縮機と、通過する空気に放熱するための第一熱交換器と、前記冷媒を膨張するための膨張機構と、前記通過する空気から吸熱するための第二熱交換器とを設け、前記圧縮機、前記第一熱交換器、前記膨張機構、前記第二熱交換器という順に連結し前記冷媒を流通させるための冷媒配管を箱状の外郭内に配置し、前記圧縮機の運転時には振動を前記外郭に伝播させなくするための防振ゴムを備え、輸送時には前記圧縮機を前記外郭内に固定する手段を設けるという構成を有する。これにより、輸送時における圧縮機の振幅を小さくするので、圧縮機に繋がる冷媒配管の振幅を小さくすることができ、冷媒配管の折れを防止することができるという効果を奏する。
【００１０】
また、輸送時には、圧縮機の頭部と外郭の間に板状の緩衝材を介在させるという構成にしてもよい。これにより、板状の緩衝材は圧縮機頭部と外郭の間よりも大きな厚みを持つもので、圧縮機の防振ゴムをつぶす方向に力が加わり防振ゴムがつぶれることで圧縮機の振幅を小さくすることとなるので、簡単な構成で、輸送時における圧縮機に繋がる冷媒配管の振幅を小さくすることができ、冷媒配管の折れを防止することができるという効果を奏する。
【００１１】
また、板状の緩衝材の端部に立上り部を設けるという構成にしてもよい。これにより、板状の緩衝材が圧縮機頭部から脱落することを防ぎ、その結果確実に圧縮機の防振ゴムをつぶす方向に力が加わるとなるので、板状の緩衝材の脱落を防ぎつつ、輸送時における圧縮機に繋がる冷媒配管の振幅を小さくすることができ、冷媒配管の折れを防止することができるという効果を奏する。
【００１２】
また、輸送時には、圧縮機の周囲と外郭との間に風船状の緩衝材を介在させるという構成にしてもよい。これにより、風船状の緩衝材が圧縮機の変位を抑え、圧縮機の振幅を小さくすることとなるので、更に、輸送時における圧縮機に繋がる冷媒配管の振幅を小さくすることができ、冷媒配管の折れを防止することができるという効果を奏する。
【００１３】
また、輸送が終わったときに緩衝材を取り除くための開口を外郭に設けるという構成にしてもよい。これにより、輸送段階に必要であった圧縮機の振幅を抑える緩衝材を外郭に設けた開口から容易に取り除くとなるので、輸送時の緩衝材を容易に取り除くことができ、通常運転時は防振ゴムの機能を発揮させることができるという効果を奏する。
【００１４】
また、輸送時には、圧縮機の頭部と外郭を棒状の固定部材で連通させるという構成にしてもよい。これにより、輸送時における圧縮機の振幅を小さくすることとなるので、更に簡単な構成で、圧縮機に繋がる冷媒配管の振幅を小さくすることができ、冷媒配管の折れを防止することができるという効果を奏する。
【００１５】
また、輸送時には、圧縮機の胴部と外郭を棒状の固定部材で連通させるという構成にしてもよい。これにより、輸送時における圧縮機の振幅を小さくすることとなるので、更に簡単な構成で確実に、圧縮機に繋がる冷媒配管の振幅を小さくすることができ、冷媒配管の折れを防止することができるという効果を奏する。
【００１６】
以下、本発明の実施の形態について図面を参照しながら説明する。
【００１７】
（実施の形態１）
図１および図２に示すように、浴室換気空調装置は、冷媒を圧縮するための圧縮機１と、通過する空気に放熱するための第一熱交換器２と、前記冷媒を膨張するための膨張機構３と、前記通過する空気から吸熱するための第二熱交換器４とを設け、前記圧縮機１、前記第一熱交換器２、前記膨張機構３、前記第二熱交換器４という順に連結し前記冷媒を流通させるための冷媒配管５を箱状の外郭６内に配置し、前記圧縮機１の運転時には振動を前記外郭６に伝播させなくするための防振ゴム７を備える。換気空調装置を運転させると前記圧縮機１が動作することにより、冷媒が前記圧縮機１、前記第一熱交換器２、前記膨張機構３、前記第二熱交換器４を前記冷媒配管５を経て流通するが、前記圧縮機１は動作に際して振動する。前記圧縮機１は前記外郭６に対して前記防振ゴム７を介して配置されており、前記圧縮機１が動作に際して発生する振動は、前記防振ゴム７により隔絶され前記外郭６に伝播させなくするものである。一方、浴室換気空調装置の輸送時には、通常の運転時以上の加振力、振幅をもって前記圧縮機１が振動するが、輸送時においては、前記圧縮機１の頭部と前記外郭６の間に板状の緩衝材８を介在させ、前記緩衝材８が配置される近傍の前記外郭６には、前記緩衝材８よりも大きい開口９と、前記開口９を閉塞し着脱可能な閉塞手段１０とを備えた構成とする。このとき、前記緩衝材８は前記圧縮機１の頭部と前記外郭６の間よりも大きな厚みを持つものであり、前記緩衝材８が介在することで前記圧縮機１の前記防振ゴム７をつぶす方向に力が加わり、前記防振ゴム７がつぶれることで、前記圧縮機１の振幅を小さくすることとなり、前記圧縮機１に繋がる前記冷媒配管５の振幅を小さくすることができ、前記冷媒配管５の折れを防止することができる。さらに、通常運転時は、輸送時に前記圧縮機１の頭部と前記外郭６の間に介在させた前記緩衝材８を取り除き、前記圧縮機１の前記防振ゴム７の機能を発揮させたいが、前記緩衝材８が配置される近傍の前記外郭６に設けた開口９が前記緩衝材８よりも大きいため、通常運転時には、前記閉塞手段１０を取り外して容易に前記緩衝材８を前記外郭６の内部から取り除くことができ、さらに、前記緩衝材８を取り除いた後、前記閉塞手段１０を前記開口９を閉塞するように取り付けて、前記外郭６を閉塞することができる。なお、輸送時において前記圧縮機１の頭部と前記外郭６の間に介在させる前記緩衝材８を板状としたが、前記緩衝材８の端部に立ち上がり部１１を設けても良い。このような構成により、前記緩衝材８が前記圧縮機１の頭部から脱落することを防ぐことができ、その結果、輸送時においては確実に前記圧縮機１の前記防振ゴム７をつぶす方向に力が加わり、前記防振ゴム７がつぶれることで、前記圧縮機１の振幅を小さくすることとなり、前記圧縮機１に繋がる前記冷媒配管５の振幅を小さくすることができ、前記冷媒配管５の折れを防止することができる。なお、輸送時において前記圧縮機１の頭部と前記外郭６の間に介在させる前記緩衝材８を板状としたが、風船状の緩衝材でも良い。
【００１８】
（実施の形態２）
図３において、前記圧縮機１の頭部と前記外郭６を連通させる固定部材１２と、前記圧縮機１の頭部には前記固定部材１２を連接させる固定部１３と、前記外郭６には前記固定部材１２を貫通させ固定しうる貫通固定部１４を備え、前記固定部材１２の胴部にはねじ構造を有し、前記圧縮機１の頭部に設けられた固定部１３と前記外郭６に設けられた貫通固定部１４には、前記固定部材１２の胴部のねじ構造と連通しうるねじ構造を有する構成としたものである。輸送時には、前記固定部材１２により前記圧縮機１の頭部に設けられた固定部１３と前記外郭６に設けられた貫通固定部１４を連通させ、その結果、前記圧縮機１が前記外郭６に対して固定され、前記圧縮機１の輸送時における振幅を小さくすることとなり、前記圧縮機１に繋がる前記冷媒配管５の振幅を小さくすることができ、前記冷媒配管５の折れを防止することができる。さらに、通常運転時には、前記固定部材１２を取り除くことで、前記圧縮機１の防振ゴム７の機能を発揮することができる。なお、前記固定部材１２を取り除いた後に、前記外郭６に設けられた貫通固定部１４を貫通固定部封止手段１５で封止するものである。なお、前記固定部材１２は前記圧縮機１の頭部と前記外郭６を連通することで、前記圧縮機１を前記外郭６に対して固定したが、前記固定部材１２は前記圧縮機１の胴部と前記外郭６を連通して、前記圧縮機１を前記外郭６に対して固定しても良い。
【産業上の利用可能性】
【００１９】
本発明にかかる浴室換気空調装置は、冷媒配管の折れを防止することを可能とするものであるので、圧縮機を搭載する装置の輸送時の圧縮機固定方法等として有用である。
【符号の説明】
【００２０】
１    圧縮機
２    第一熱交換器
３    膨張機構
４    第二熱交換器
５    冷媒配管
６    外郭
７    防振ゴム
８    緩衝材
９    開口
１０  閉塞手段
１１  立ち上がり部
１２  固定部材
１３  固定部
１４  貫通固定部
１５  貫通固定部封止手段
【図１】
2012193914.tif 000003
【図２】
2012193914.tif 000004
【図３】
2012193914.tif 000005